(57)【要約】【課題】一般の計器装置と同等な価格でファインビュー式の計器装置と同等の質感を得ることができるようにする。【解決手段】計器表示部６と警告灯等表示部７とを有する文字板８の表面側に、文字板８から離して無色透明なカバー部材３０を配設した計器装置であって、計器表示部６と対応する部分に開口部３１を有する暗色透明な板状部材３２を設け、板状部材３２を、計器表示部６に開口部３１を位置合せした状態で文字板８の表面に当接配置するようにしている。【選択図】        図１
2004226247.tif 000002
【特許請求の範囲】
【請求項１】
計器表示部と警告灯等表示部とを有する文字板の表面側に、文字板から離して無色透明なカバー部材を配設した計器装置において、
計器表示部と対応する部分に開口部を有する暗色透明な板状部材を設け、該板状部材を、計器表示部に開口部を位置合せした状態で文字板の表面に当接配置したことを特徴とする計器装置。
【請求項２】
前記カバー部材の開口部の縁部に、塗装またはメッキなどの加飾を施したことを特徴とする請求項１記載の計器装置。
【発明の詳細な説明】
【０００１】
【発明の属する技術分野】
この発明は、計器装置に関するものである。
【０００２】
【従来の技術】
自動車などの車両には、車室内の前部に計器装置が設けられている。
【０００３】
この計器装置には、速度計や回転計や燃料計や水温計などの計器表示部と、各種警告灯等が点灯する警告灯等表示部とを有する文字板を有している。そして、この文字板の表面側には、文字板から離して無色透明なカバー部材が配置されている。
【０００４】
このような計器装置には、照明非点灯時には表示が見えず、照明点灯時に表示が見えるようにしたファインビュー式のものが存在する。
【０００５】
従来のファインビュー式の計器装置は、例えば、無色透明なカバー部材の近傍に、全面を暗色透明としたカバー部材を配置するようにしていた（例えば、特許文献１参照）。
【０００６】
【特許文献１】
特開２００２−２３３２号公報
【０００７】
【発明が解決しようとする課題】
しかしながら、上記特許文献１に記載された計器装置では、無色透明なカバー部材の近傍に、全面を暗色透明としたカバー部材を配置するようにしていたため、高いコントラストとするのに光源の出力を増大させて高輝度としなければならず、光源の数を増やさなければならなかった。そして、光源の数を増やすことにより、均一に照明するのが困難となるという問題を生じていた。そのため、ファインビュー式の計器装置は一般の計器装置と比較して高価なものとなっていた。
【０００８】
そこで、本発明の目的は、上記の問題点を解消し、一般の計器装置と同等な価格でファインビュー式の計器装置と同等の質感を得ることのできる計器装置を提供することにある。
【０００９】
【課題を解決するための手段】
上記課題を解決するために、請求項１に記載された発明では、計器表示部と警告灯等表示部とを有する文字板の表面側に、文字板から離して無色透明なカバー部材を配設した計器装置において、計器表示部と対応する部分に開口部を有する暗色透明な板状部材を設け、該板状部材を、計器表示部に開口部を位置合せした状態で文字板の表面に当接配置した計器装置を特徴としている。
【００１０】
このように構成された請求項１にかかる発明によれば、計器表示部と対応する部分に開口部を有する暗色透明な板状部材を設け、該板状部材を、計器表示部に開口部を位置合せした状態で文字板の表面に当接配置したことにより、計器表示部以外の警告灯等表示部を照明非点灯時に見えないようにすることができるので、ファインビュー式と略同等の質感の計器装置を得ることができる。また、照明非点灯時に計器表示部は表示されるので、高いコントラストとする必要がなくなり、以って、光源の数を増やす必要がなく、また、照明の均一化を図る必要がない。更に、暗色透明な板状部材を文字板の表面に当接配置するだけなので、一般の計器装置と略同等の価格で製造することができる。
【００１１】
請求項２に記載された発明では、前記カバー部材の開口部の縁部に、塗装またはメッキなどの加飾を施した請求項１記載の計器装置を特徴としている。
【００１２】
このように構成された請求項２にかかる発明によれば、カバー部材の開口部の縁部に、塗装またはメッキなどの加飾を施すことにより、計器表示部の周囲に別部品として設けている加飾部材をなくすことができる。
【００１３】
【発明の実施の形態】
以下、本発明を具体化した実施の形態について、図示例と共に説明する。
【００１４】
図１〜図３は、この発明の実施の形態を示すものである。
【００１５】
まず、構成を説明すると、自動車などの車両には、車室内の前部に計器装置１が設けられている。
【００１６】
この計器装置１は、速度計２や回転計３や燃料計４や水温計５などの計器表示部６と、警告灯や指示灯その他の各種警告灯等が点灯する警告灯等表示部７とを有する文字板８を有している。計器表示部６は、数値や目盛などを有する指針回動領域を有している。指針回動領域には、指針１２が回動可能に配設されている。各種警告灯等は、文字板８の計器表示部６を避けた位置に適宜分散配置されている。
【００１７】
文字板８の裏面側には、所要の間隔を有して回路基板２１が略平行に配置されている。この回路基板２１には、指針１２の駆動装置２２や光源や各種回路部品等が取付けられている。駆動装置２２には、例えば、交差コイル式のムーブメントなどを用いる。光源は、計器装置１の数値や目盛や指針１２などを照明するものと、警告灯等表示部７等を照明するものとがある。光源には、例えば、ＬＥＤなどを用いる。しかし、駆動装置２２および光源は、上記したものに限るものではない。
【００１８】
文字板８には指針軸孔が形成され、この指針軸孔に駆動装置２２から取出された指針軸が貫通され、この指針軸の先端に指針１２の基部が取付けられている。
【００１９】
文字板８と回路基板２１との間には、上記した光源からの光を導いて計器装置１の数値や目盛や指針１２などを照明させる導光板２６が設けられている。
【００２０】
文字板８と回路基板２１とは、シェード部材２７を介して回路基板２１の表面側に保持される。
【００２１】
そして、回路基板２１の裏面側には、ハウジング２８が取付けられ、このハウジング２８の表面側には、文字板８の外周を包囲するように見返板２９が取付けられている。この見返板２９の先端部（文字板８の表面側）には、文字板８から離して無色透明なカバー部材３０が配置されている。
【００２２】
この実施の形態では、計器表示部６と対応する部分に開口部３１を有する暗色透明な板状部材３２を設けて、この板状部材３２を、計器表示部６に開口部３１を位置合せした状態で文字板８の表面に当接配置している。
【００２３】
このカバー部材３０の開口部３１の縁部に、塗装またはメッキなどの加飾３３を施すようにする。
【００２４】
このような加飾３３は、カバー部材３０を、例えば、図３に示すようなマスキング型３５，３６へセットして行う。
【００２５】
次に、この実施の形態の作用について説明する。
【００２６】
駆動装置２２に信号を送って駆動装置２２を駆動すると、指針軸を介して指針１２が回動される。これにより、各計器表示部６の指針１２回動領域に付された数値や目盛を指針１２に現示させることができる。
【００２７】
また、光源を発光させると、光源からの光は、導光板２６の内部を導かれ、計器装置１の数値や目盛や指針１２などを照明させる。
【００２８】
或いは、上記とは別の光源により、警告灯や指示灯その他の各種警告灯等を点灯することができる。
【００２９】
この実施の形態によれば、計器表示部６と対応する部分に開口部３１を有する暗色透明な板状部材３２を設け、この板状部材３２を、計器表示部６に開口部３１を位置合せした状態で文字板８の表面に当接配置したことにより、計器表示部６以外の警告灯等表示部７を照明非点灯時に見えないようにすることができる。これにより、ファインビュー式と略同等の質感の計器装置１を得ることができる。
【００３０】
また、照明非点灯時に計器表示部６は表示されるので、高いコントラストとする必要がなくなり、以って、光源の数を増やす必要がなく、また、照明の均一化を図る必要がない。
【００３１】
更に、暗色透明な板状部材３２を文字板８の表面に当接配置するだけなので、一般の計器装置１と略同等の価格で製造することができる。
【００３２】
また、カバー部材３０の開口部３１の縁部に、塗装またはメッキなどの加飾３３を施すことにより、計器表示部６の周囲に別部品として設けていた加飾部材をなくすことができる。なお、開口部３１の縁部の加飾３３は、例えば、図３に示すようなマスキング型３５，３６を用いることにより、簡単に行うことができる。
【００３３】
【発明の効果】
以上説明してきたように、請求項１の発明によれば、計器表示部と対応する部分に開口部を有する暗色透明な板状部材を設け、板状部材を、計器表示部に開口部を位置合せした状態で文字板の表面に当接配置したことにより、計器表示部以外の警告灯等表示部を照明非点灯時に見えないようにすることができるので、ファインビュー式と略同等の質感の計器装置を得ることができる。また、照明非点灯時に計器表示部は表示されるので、高いコントラストとする必要がなくなり、以て、光源の数を増やす必要がなく、また、照明の均一化を図る必要がない。更に、暗色透明な板状部材を文字板の表面に当接配置するだけなので、一般の計器装置と略同等の価格で製造することができる。
【００３４】
請求項２の発明によれば、カバー部材の開口部の縁部に、塗装またはメッキなどの加飾を施すことにより、計器表示部の周囲に別部品として設けている加飾部材をなくすことができる、という実用上有益な効果を発揮し得る。
【図面の簡単な説明】
【図１】本発明の実施の形態にかかる計器装置の側方断面図である。
【図２】図１における文字板と板状部材の部分を分解した斜視図である。
【図３】マスキング型の斜視図である。
【符号の説明】
６    計器表示部
７    警告灯等表示部
８    文字板
３０  無色透明なカバー部材
３１  開口部
３２  板状部材
３３  加飾
【図１】
2004226247.tif 000003
【図２】
2004226247.tif 000004
【図３】
2004226247.tif 000005